(57)【要約】【課題】複数個の中継機での中継リレーを利用して、広い範囲での通信を可能とする。【解決手段】親機１１と、個別識別情報（ＩＤ）を有する複数の子機２１，２２，２３，２４，２５，２６，２７と、中継機３１，３２，３３，３４，３５，３６，３７とを用いるもので、それらを、学校、工場、オフィスなどのある一定範囲内に設置することで、ワイヤレスネットワークシステムを構成する。親機１１，子機２１〜２６および中継機３１〜３６は、特定小電力無線により、いずれも双方向通信が可能である。子機２１〜２６からの通報は、グループ番号が同じ中継機が一旦受信して、中継機３１〜３３あるいは３４〜３６の中継系統において、予め設定された中継番号の順に、中継機を介して、親機１１に送信される。【選択図】図１
2008276599.tif 000002
【特許請求の範囲】
【請求項１】
親機と、複数の子機とを、中継機を介して通信可能に構成する非常通報システムにおいて、
前記子機及び中継機は、個別識別情報およびグループ番号を有するとともに通報を送受信するデータ送受信手段を備え、
前記中継機は、前記子機のうちグループ番号が同一である特定の子機と送受信可能であるとともに、前記特定の子機からの通報を、予め設定されている中継番号順でもって中継して親機に送信する構成とされ、
前記親機は、通報を送受信するデータ送受信手段と、前記子機及び中継機の個別識別情報を記憶する記憶手段とを備え、前記中継機からの通報を受信したときに、前記通報に基づきその送信元である前記子機を特定してその子機に対し警報動作を実行する構成とされていることを特徴とする非常通報システム。
【請求項２】
前記子機及び中継機は、前記グループ番号を設定・変更するグループ番号設定手段を備え、
中継機は、前記グループ番号でもって、前記特定の子機であるか、それ以外の子機であるかを判別することを特徴とする請求項１記載の非常通報システム。
【請求項３】
前記親機及び中継機のデータ送受信手段は、前記子機又は中継機から受信した通報を送信した場合に、前記子機又は中継機に返信することを特徴とする請求項１又は２記載の非常通報システム。
【発明の詳細な説明】
【技術分野】
【０００１】
本発明は、特定小電力無線通信を利用し、親機に対し複数の子機や中継機を一定範囲に設置し、侵入者の存在などの非常時に親機に対し前記子機や中継機から通報する非常通報システムに関するものである。
【背景技術】
【０００２】
従来、親機に対し、ある一定範囲に複数の子機を設置し、親機−子機の組み合わせでワイヤレス通信を行うシンプルな非常通報システムとして、前記子機は送信機能のみ、親機は受信機能のみの片方向通信であるものは知られている（例えば特許文献１参照）。
【特許文献１】特開２００１−０５６８９４号公報（段落００１２〜００１４）
【発明の開示】
【発明が解決しようとする課題】
【０００３】
しかしながら、そのようなシステムであると、子機は送信機能のみ、親機は受信機能のみを有するだけでよいので、安価に製造できるが、親機と子機の組み合わせでワイヤレス通信を行う場合、送信電力の関係で、親機と子機との距離が離れていると、それらの間での直接の通信が行いにくい場合がある。
【０００４】
そのような場合には、親機と、その親機から距離が離れている子機との間にそれらの通信を中継ぎする中継機を別途設けることが必要となる。
【０００５】
そこで、発明者は、前記子機からの通報（データ）を中継して親機へ送信する中継機を単に複数個設けるのではなく、そのような複数個の中継機でもって、予め設定されている中継番号の順で順次中継して親機に送信するという具合に、複数個の中継機で送信をリレーすることにすれば、通信範囲を広げることができることに着想し、本発明をなすに至ったものである。
【０００６】
本発明は、子機からの通報（データ）を、複数個の中継機により予め設定されている中継番号順でもって順次中継して親機に送信することにより、広い範囲での通信を可能とした非常通報システムを提供することを目的とする。
【課題を解決するための手段】
【０００７】
請求項１の発明は、親機と、複数の子機とを、中継機を介して通信可能に構成する非常通報システムにおいて、前記子機及び中継機は、個別識別情報およびグループ番号を有するとともに通報を送受信するデータ送受信手段を備え、前記中継機は、前記子機のうちグループ番号が同一である特定の子機と送受信可能であるとともに、前記特定の子機からの通報を、予め設定されている中継番号の順でもって中継して親機に送信する構成とされ、前記親機は、通報を送受信するデータ送受信手段と、前記子機及び中継機の個別識別情報を記憶する記憶手段とを備え、前記中継機からの通報を受信したときに、前記通報に基づきその送信元である前記子機を特定してその子機に対し警報動作を実行する構成とされていることを特徴とする。ここで、「中継番号の順でもって中継して親機に送信する」とは、子機からの通報を直接に親機に送信するのではなく、中継機を介して送信するという意味であり、その場合、前記子機からの通報を受信した中継機の中継番号によって、親機まで中継するに用いられる中継数の台数が異なる。つまり、親機から離れた位置に設置される子機であれば、中継に用いられる中継機の台数が多くなり、親機の近くに設置される子機であれば、その子機からの通報を受信した中継機が、他の中継機を介することなく、親機に直接送信することになるように中継番号が設定される。
【０００８】
このようにすれば、親機から離れた位置に設置される子機の場合には、その子機からの通報が、予め設定されている中継番号の順での中継機による中継を利用して、親機に送信されるので、広い範囲での通信が可能となる。また、広範囲に亘って設置する場合でも、台数を調整することで、各グループにおける子機と中継機との間隔、中継機同士の間隔、中継機と親機との間隔を大きく離す必要がないので、それらの間で確実に通信がなされ、通信精度も高まる。さらに、通報を中継する場合に、設定されたグループ番号により中継する経路を制御することによって、混信を防止して、中継台数を増やすこともできる。また、中継番号を制御することで中継する経路を簡単に複数に分けることができ、子機や中継機を直線的でなく、平面的に広範囲に設置することができる。
【０００９】
さらに、親機及び子機、中継機がデータ送受信手段を有することで、親機と中継機、中継機と子機との間で通信可能となり、必要に応じて返信を送るなどして、子機、中継機のいずれの側においても、通信が正しく行われたことの確認が行える。また、子機、中継機は、個別識別情報を有するので、どの子機あるいは中継機からの通報（送信）であるかを親機が識別することができ、セキュリティ性能を高めることができる。
【００１０】
請求項２に記載のように、前記子機及び中継機は、前記グループ番号を設定・変更するグループ番号設定手段を備え、中継機は、前記グループ番号でもって、前記特定の子機であるか、それ以外の子機であるかを判別する構成とすることができる。
【００１１】
このようにすれば、グループの数を簡単に増加することができ、広い通信範囲を得る上で有利であり、また、通信範囲の変更も容易である。中継機を設置する場合には、中継機に子機を登録するタイプではないので、設置・増設に再登録が必要でないし、また、子機及び中継機側でグループ番号を設定するだけであるので、子機や中継機の設置が容易である。
【００１２】
請求項３に記載のように、前記親機及び中継機のデータ送受信手段は、前記子機又は中継機から受信した通報を送信した場合に、前記子機又は中継機に返信する構成とすることが望ましい。
【００１３】
このようにすれば、通報を受信した場合に、親機及び中継機から、一定時間経過後に返信されるようになっているので、中継機や子機のいずれにおいても、通信が正しく行われたか否かを、通報を送信する毎に確認することができる。
【発明の効果】
【００１４】
本発明は、上記のように、親機から離れた位置に設置される子機の場合には、その子機からの通報が、予め設定されている中継番号の順での中継機による中継を利用して、親機に送信する構成としているので、広い範囲での通信を実現することができる。また、広範囲に亘って設置する場合でも、台数を調整することで、各グループにおける子機と中継機との間隔、中継機同士の間隔、中継機と親機との間隔を大きく離す必要がないので、それらの間で確実に通信を行うことができ、通信精度を高めることができる。さらに、親機、中継機及び子機がデータ送受信手段を有することで、親機と中継機、中継機同士、中継機と子機との間で通信可能となり、必要に応じて返信を送るなどして、中継機、子機のいずれにおいても、通信が正しく行われたことの確認が行える。また、子機および中継機は、個別識別情報を有するので、どの子機あるいは中継機からの通報であるかを親機が識別することができ、セキュリティ性能を高めることができる。
【発明を実施するための最良の形態】
【００１５】
以下、本発明の実施の形態を図面に沿って説明する。
【００１６】
図１は本発明の一実施の形態である非常通報システムの概略構成を示す説明図である。
【００１７】
図１に示すように、非常通報システムは、親機１１と、個別識別情報（ＩＤ）を有する複数の子機２１，２２，２３，２４，２５，２６，２７と、中継機３１，３２，３３，３４，３５，３６，３７とを用いるもので、それらを、学校、工場、オフィスなどのある一定範囲内にセキュリティなどを目的として設置することで、ワイヤレスネットワークシステムとして構成される。親機１１、子機２１〜２７および中継機３１〜３７は、特定小電力無線により、いずれも双方向通信が可能である。
【００１８】
親機１１は、図２に示すように、制御部１１Ａ（ＣＰＵ）を備える。この制御部１１Ａは、通報を送受信するためのデータ送受信手段１１Ａａと、後述する子機２１〜２６や中継機３１〜３６の個別識別情報を、それらの設置場所などとともに記憶する個別識別情報記憶手段１１Ａｂとを有する。また、親機１１は、制御部１１Ａによって制御される送受信表示部１１Ｂ、音声再生部１１Ｃ、警報解除装置１１Ｄ、警報出力装置１１Ｅ、周波数設定装置１１Ｆも有する。なお、具体的に図示していないが、親機１１は、電源（例えばバッテリ）を備える。
【００１９】
送受信表示部１１Ｂは、例えば７セグＬＥＤで、通報があった子機を、その通報に含まれる個別識別情報などに基づき表示する。音声再生部１１Ｃは、例えばスピーカで、通報があった際に警告などが再生される。警報出力装置１１Ｅは、例えばブザーで、通報があった際に警報として鳴動する。この個別識別番号の表示、音声による警告やブザーによる警報によって、通報時に親機１１が実行する警報動作が構成される。
【００２０】
警報解除装置１１Ｄは、例えば押しボタンスイッチで、警報を解除する際に操作され、制御部１１Ａ内において必要な処理が行われる。周波数設定装置１１Ｆは、送受信に用いられる信号の周波数を設定するものである。
【００２１】
さらに、制御部１１Ａには、無線通信部１１Ｇを介してアンテナ１１Ｈに連係され、データ送受信手段１１Ａａによって送受信がなされるようになっている。つまり、中継機３１，３４，３７あるいは子機２７からの転送（通報）がアンテナ１１Ｈを通じて入力されると、無線通信部１１Ｇにおいては、スイッチング回路１１ｈを経て増幅器１１ｐで増幅され、ＶＣＯ１１ｄ（ＰＬＬ）からの信号と混合器１１ｑにて混合され、復調回路１１ｒを経て制御部１１Ａ（ＣＰＵ）に入力される。そして、必要な情報は、制御部１１Ａからの信号として、送受信表示部１１Ｂ、音声再生部１１Ｃ、警報出力装置１１Ｅに送信され、それぞれが前述した警報動作を実行する。一方、制御部１１Ａからの返信は、制御回路１１ｃを通じてＶＣＯ１１ｄ（ＰＬＬ）に送られる一方、変調回路１１ｅにも送られる。そして、ＶＣＯ１１ｄ（ＰＬＬ）からの信号と、変調回路１１ｅからの信号が混合器１１ｆで混合されて、増幅器１１ｇで増幅され、送受信を切り替えるスイッチング回路１１ｈを経てアンテナ１１Ｈから、中継機３１，３４，３７あるいは子機２７に向けて送信される。なお、音声再生部１１Ｃは、音声回路１１ｍ（音声録音／再生）を備え、マイク１１ｍ１を通じて警告を録音したりスピーカー１１ｍ２を通じて警告を再生したりすることができる。また、制御部１１Ａにスイッチング回路１１ｎを連係し、このスイッチング回路１１ｎを介して外部端子１１ｎ１とも接続される構成とすることで、外部端子１１ｎ１を利用して、携帯電話などへの通報機能１１Ｅも発揮できるようにすることも可能である。
【００２２】
そして、システムを設置する場合には、親機１１の個別識別情報記憶手段１１Ａｂに対し、前記システムを構成する子機２１〜２７及び中継機３１〜３７の個別識別情報を順次登録して記憶させる。なお、親機１１は個別識別情報を持っていない。ここで、子機２１〜２７と中継機３１〜３７を設置できる合計台数は、親機１１の最大登録台数によって決まる。
【００２３】
子機２１〜２７は、同じ構成であるので、一例として、図３に沿って子機２１について説明する。子機２１はデータ送受信手段２１Ａａを有する制御部２１Ａ（ＣＰＵ）を備える。また、子機２１は、制御部２１Ａによって制御される送受信表示部２１Ｂ、警報通報装置２１Ｃ、警報出力装置２１Ｄ、周波数設定装置２１Ｅ、及びグループＩＤ設定装置２１Ｆ（グループ番号設定手段）も備える。送受信表示部２１Ｂは、例えばＬＥＤで、通報が送信された場合や中継機３１からの返信があった場合に点灯される。警報通報装置２１Ｃは、例えば押しボタンスイッチで、警報通報時に押される。警報出力装置２１Ｄは、例えばブザーで、警報通報時に鳴動される。周波数設定装置２１Ｅは、送受信に用いられる信号の周波数を設定するものである。グループＩＤ設定装置２１Ｆは、例えばディップスイッチで、グループ番号であるグループＩＤを設定したり変更したりする際に操作されるものである。
【００２４】
また、制御部２１Ａには、無線通信部２１Ｇを介してアンテナ２１Ｈに連係されている。つまり、通報時には、警報通報装置２１Ｃ（たとえば、押しボタンスイッチ）の操作により制御部２１Ａにおいて必要な処理が行われ、その結果に基づく信号が制御回路２１ｃを通じてＶＣＯ２１ｄ（ＰＬＬ）に送られる一方、変調回路２１ｅにも送られる。そして、ＶＣＯ２１ｄ（ＰＬＬ）からの信号と、変調回路２１ｅからの信号が混合器２１ｆで混合されて、増幅器２１ｇで増幅され、送受信を切り替えるスイッチング回路２１ｈを経てアンテナ２１Ｈから中継機３１に向けて、通報が送信される。中継機３１からの返信は、アンテナ２１Ｈを通じて入力され、スイッチング回路２１ｈを経て増幅器２１ｐで増幅され、ＶＣＯ２１ｄ（ＰＬＬ）からの信号と混合器２１ｑにて混合され、復調回路２１ｓを経て制御部２１Ａに入力される。必要な情報は、制御部２１Ａからの信号として、送受信表示部２１Ｂが受けて、例えばＬＥＤの点灯により表示される。
【００２５】
また、中継機３１〜３７も、同じ構成であるので、一例として、図４に沿って子機３１について説明する。中継機３１は、制御部３１Ａ（ＣＰＵ）を備える。この制御部３１Ａは、データ送受信手段３１Ａａと、中継番号設定手段３１Ａｂとを有する。中継番号設定手段３１Ａｂは、中継番号を設定・変換することで、中継機３１による中継順序を決定するものである。子機からの通報を受信した中継機は、この中継番号に基づいて、前記通報を次に送信する中継機を判別する。そして、中継番号の順に従って、中継機を介して親機１１に送信される。
【００２６】
また、中継機３１も、子機と同様に、制御部３１Ａによって制御される送受信表示部３１Ｂ（例えば、ＬＥＤ）、警報通報装置３１Ｃ（例えば、押しボタン）、警報出力装置３１Ｄ（例えば、ブザー）、周波数設定装置３１Ｅ、及びグループＩＤ設定装置３１Ｆ（グループ番号設定手段）も備える。さらに、制御部３１Ａには、無線通信部３１Ｇを介してアンテナ３１Ｈに連係されている。なお、この無線通信部３１Ｇは、子機の２１無線通信部２１Ｇ（図３参照）と同じ構成であるので、それの具体的構成の図示を省略している。
【００２７】
子機２１〜２７及び中継機３１〜３７は、それぞれ、子機２１〜２７及び中継機３１〜３７を特定するための個別識別情報を有する。子機２１〜２７及び中継機３１〜３７の個別識別情報は、製造時に子機２１〜２７及び中継機３１〜３７に対し登録され、制御部において記憶される（図３及び図４参照）。なお、子機２１〜２７及び中継機３１〜３７は、具体的に図示していないが、例えばバッテリなどの子機電源及び中継機電源を備える。
【００２８】
また、子機２１〜２７及び中継機３１〜３７は、前述したように、グループＩＤ設定装置を用いてグループＩＤを設定したり変更したりすることができ、この実施の形態では、６つのグループ（グループ番号（１）〜（６））に分けられている（図１参照）。子機２１〜２６は、同じグループＩＤを有する１つの中継機３１〜３６とだけ送受信が可能であり、その中継機が直接あるいは他の中継機を介して、親機１１と通信が行われるようになっている。つまり、子機２１〜２６は、親機１１と直接ではなく、同じグループＩＤを有する中継機３１〜３６を介して、親機１１との間で通信が行われる。
【００２９】
この点についてさらに詳述すると、中継機３１〜３６は、各グループにおいて１台だけ設置可能である。また、子機は、この実施の形態では、各グループに１台だけ設置しているだけであるが、複数台設置することができる。よって、各グループにおいて、１つの中継機が、複数の子機と親機の間における通信の中継を受け持つことになり、いずれの子機も、常に同じグループの中継機を経て親機１１に通報が送信されることになる。つまり、中継機３１〜３６は、同じグループ番号の子機２１〜２６についてのみ中継機としての機能を発揮できる構成とされ、その子機からの通報（警報通報装置である例えば押しボタンを押すことによる通報）を、データ送受信手段を利用して、親機１１に転送することができる。また、子機からの通報だけでなく、中継機自体も警報通報装置の操作によって中継機からの通報を送信して、親機１１で警報動作をさせることができる。なお、例外的に、特定のグループ番号、この実施の形態ではグループ番号（０）に設定することで、そのグループ番号（０）のグループに属する子機２７及び中継機３７は、親機１１との間で直接に通信することができるように構成することも可能である。つまり、中継機３７は、グループ番号（０）に設定されると、子機２７と同様に、親機に対し通報可能となる。この場合は、グループ番号（０）に設定した子機２７から送信された通報を、同じくグループ番号（０）に設定した中継機３７が受信しても、中継しないようになっている。
【００３０】
また、親機１１から離れた位置に設置される子機の場合には、予め設定されている中継番号の順での複数の中継機による中継を利用して、親機１１に送信することができるので、中継距離を長くすることができ、広い範囲での通信が可能となる。そして、中継する中継機の台数をさらに増加すれば、通信精度を低下させることなく、通信範囲をさらに広げることができる。個別識別情報やグループ番号が設定されているので、混信のおそれもない。
【００３１】
例えば図１に示す実施の形態では、グループ番号（３），（６）の子機２３，２６は、親機１１から大きく離れているため、子機２３，２６と親機１１との間に設置される中継機３１〜３３，３４〜３６を介して通報の送信が行われる。この場合には、中継機３１〜３３，３４〜３６において、中継番号が設定されているので、その中継番号の順に従った中継機による中継リレーで、通報が送信される。これにより、親機１１から遠く離れて設置された子機２３，２６は、まず、中継機３３，３６との間で送受信を行い、中継機３１〜３３の中継系統あるいは中継機３４〜３６の中継系統を通じて、親機１１に間接的に通報を送信することが可能となる。このように、中継系統（中継の経路）は、グループＩＤを工夫することによってさらに増加させることも可能である。
【００３２】
一方、中継機３１〜３７は、グループ番号が異なる子機２１〜２７との関係では、受信機能を発揮するだけで、送信する機能はなく、また、中継機３１〜３７は、中継機として機能することはない。中継機３１〜３７は中継番号の順に従って、送信が行われ、親機１１と直接通信可領域内に設置されている中継機３１，３４が、親機１１と直接に送受信可能である。なお、中継機３１〜３７は、別の中継機３１〜３７からの通報を受信しても、同様に、受信機能を発揮するだけである。
【００３３】
親機１１は、識別情報記憶手段１１Ａｂにおいて、システムを構成する子機２１〜２７の個別識別情報及び設置場所並びに中継機３１〜３７の個別識別情報を登録により記憶しており、子機２１〜２７の設置場所や中継機３１〜３７を個別識別情報とともに、送受信表示部１１Ｂにおいて、視覚的に表示できるようになっている。また、それらの情報が音声情報として録音され、音声再生部１１Ｃにおいて出力されるようにもなっている。
【００３４】
上記のような親機１１および子機２１〜２７、中継機３１〜３７を用いれば、親機１１は、電源を投入することにより、個別識別情報が登録された子機２１〜２７からの通報を、中継機３１〜３６を介して又は直接受信可能な待機状態となり、子機２１〜２７からの通報を待つことになる。ここで、中継機３１〜３３，３４〜３７は、常時受信可能状態を維持する必要はなく、一定時間毎に中継する通報の有無をチェックする構成とすることも可能である。
【００３５】
子機２１〜２７あるいは中継機３１〜３７の警報通報装置が操作（例えば、押しボタンの入力）されると、子機２１〜２７あるいは中継機３１〜３７からの通報が親機１１に送信される。この送信は、送受信表示部２１Ｂ，３１Ｂにより確認される。つまり返信（ＡＣＫ）があれば、送受信表示部２１Ｂ，３１Ｂにより、送信が完了したことが確認される。なお、返信がない場合には、再送信が行われる。
【００３６】
親機１１は中継機３１，３４からの通報を受信すると、返信（ＡＣＫ）を送信し、設置場所や個別識別情報などの情報を表示部１１Ｂにおいて表示し、録音した音声とブザー鳴動との警報動作により、子機からの通報が送られてきたことが報知される。
【００３７】
続いて、上記非常通報システムによる通信処理について，図１及び図６、図７に基づいて説明する。次の例は、中継機が３台の場合の通信処理についてのもので、図６及び図７に矢印で示す経路以外の送受信はすることができないようになっている。
【００３８】
Ａ．子機からの警報送信
図１及び図６に示すように、例えば中継機３１〜３３の中継系統においては、侵入者などがあり、それを親機１１に通報するために例えば子機２３おいて警報通報装置が操作されると、子機２３から通報（個別認識情報、グループＩＤ、経路番号０１を含む）が送信されるとともに、後述する中継機３３からの返信を受けた応答確認後に前記制御部の制御によって子機２３が警報（例えばブザー鳴動）を発する警報状態となる。この警報状態は、警報解除受信待ちの状態でもある。
【００３９】
その子機２３と同じグループ番号（３）である中継機３３が、子機２３からの通報を受信したとき、子機２３からの通報であることが個別識別情報及びグループ番号に基づき確認される。
【００４０】
その後、中継機３３は、子機２３からの通報を、グループＩＤに基づき経路番号を書き換えて、通報（経路番号１１を含む）として次の中継機３２に転送するとともに、子機２３に同じ通報を返信する。一方、異なるグループ番号の子機（例えば子機２２）からの通報であれば、その通報は中継機３３は受信するだけで、返信は行われない。この通報は、その子機が属する中継機（例えば、中継機３２）が受信するからである。
【００４１】
これにより、子機２３側は、前記返信を受信する応答確認により、中継機３３から、次の中継機３２に通報が送信（転送）されたことがわかる。
【００４２】
つづいて、中継機３２，３３においても、経路番号が２１，３１と書き換えられて、通報の転送、返信が行われる。ここで、中継機３２，３３は、受信した経路番号と自機のグループ番号とから、次の経路番号を設定し、通報に付加される。
【００４３】
中継機３１からの転送（通報）を親機１１が受信すると、経路番号を８０に書き換えて、中継機３１への返信がなされ、応答確認がなされる。これにより親機１１も、子機２３に対し警報動作（例えば、ブザーの鳴動）を実行することになる。
【００４４】
また、子機２２からの通報であれば、中継機３２が受信して、中継機３１を介して、親機１１に送信される。子機２１からの通報であれば、中継機３１が受信して、そのまま親機１１に送信される。
【００４５】
一方、中継機３４〜３６の中継系統においては、子機２６からの通報であれば、そのグループ番号（６）と同じグループ番号の中継機３６に通報が送信され、その通報は、経路番号の順に従って、中継機３６，３５，３４の順で順次中継されて、最終的に親機１１に送信されることになる。そして、子機２５からの通報であれば、中継機３５が受信して、中継機３４を介して、親機１１に送信される。子機２４からの通報であれば、中継機３４が受信して、そのまま親機１１に送信される。
【００４６】
Ｂ．親機からの警報解除送信
図１及び図７に示すように、例えば前述した中継機３１〜３３の中継系統において、子機２３の警報状態を解除する場合には、親機１１において警報解除装置１１Ｄが操作され、親機１１から警報解除信号（経路番号８１を含む警報解除データ）が送信され、前述した図７に示す場合とは逆の順序で、警報解除信号が子機２３に送られる。
【００４７】
つまり、親機１１からの警報解除信号は、グループ番号（１）の中継機３１が受信したとき、個別認識情報及びグループ番号が含まれていないことから、親機１１からの送信であることが確認される。
【００４８】
その後、中継機３１は、親機１１からの警報解除信号を、グループＩＤに基づき経路番号を書き換えて、警報解除信号（経路番号９１を含む）として次の中継機３１に転送するとともに、親機１１に同じ警報解除信号を返信する。一方、異なるグループ番号の中継機であれば、その警報解除信号は受信するだけで、返信は行われない。
【００４９】
これにより、親機１１側は、前記返信を受信する応答確認により、中継機３１から、次の中継機３２に警報解除信号が送信（転送）されたことがわかる。
【００５０】
続いて、中継機３２，３３においても、経路番号がＡ１，Ｂ１と書き換えられて、警報解除信号の転送、返信が行われる。ここで、中継機３２，３３は、受信した経路番号と自機のグループ番号とから、次の経路番号を設定し、警報解除信号における経路番号が書き換えられる。
【００５１】
中継機３３からの転送（警報解除信号）を子機１１が受信すると、経路番号を００に書き換えて、中継機３３への返信がなされ、応答確認がなされる。これにより子機１１は、警報動作（例えば、ブザーの鳴動）が解除され、警報解除状態となる。
【００５２】
また、子機２２への警報解除信号の送信であれば、中継機３１，３２を介して、子機２２に送信される。子機２１への送信であれば、中継機３１が受信して、そのまま子機２１に送信される。
【００５３】
一方、中継機３４〜３６の中継系統においては、子機２６への警報解除信号の送信であれば、まず中継機３４に通報が送信され、その警報解除信号は、中継番号の順に従って、中継機３４，３５，３６の順で順次中継されて、最終的に子機２６に送信されることになる。そして、子機２５への警報解除信号の送信であれば、中継機３５，３５を介して、子機２５に送信される。子機２４への警報解除信号の送信であれば、中継機３４が受信して、そのまま子機２４に送信される。
【００５４】
前記実施の形態のほか、本発明は、次のように変更して実施することも可能である。
【００５５】
前記実施の形態では、子機２１〜２７および中継機３１〜３７の警報通報装置としては、押しボタンの操作により通報する構成のほか、センサと接続して、そのセンサが侵入者を検知した場合に通報する構成とすることも可能である。
【図面の簡単な説明】
【００５６】
【図１】本発明に係る一実施の形態である非常通報システムの概略構成を示す説明図である。
【図２】前記非常通報システムに用いる親機の説明図である。
【図３】前記非常通報システムに用いる子機の説明図である。
【図４】前記非常通報システムに用いる中継機の説明図である。
【図５】前記非常通報システムの、子機からの警報送信の通信シーケンスを示す図である。
【図６】前記非常通報システムの、親機からの警報解除送信の通信シーケンスを示す図である。
【符号の説明】
【００５７】
１１    親機
１１Ａ    制御部
１１Ａａ    データ送受信手段
１１Ａｂ    個別識別情報記憶手段
１１Ｂ    送受信表示部
１１Ｃ    音声再生部
１１Ｄ    警報解除装置
１１Ｅ    警報出力装置
２１〜２７    子機
２１Ａ    制御部
２１Ａａ    データ送受信手段
２１Ｂ    送受信表示部
２１Ｃ    警報通報装置
２１Ｄ    警報出力装置
２１Ｆ    グループＩＤ設定装置
３１〜３７    中継機
３１Ａ    制御部
３１Ａａ    データ送受信手段
３１Ａｂ    中継番号設定手段
３１Ｂ    送受信表示部
３１Ｃ    警報通報装置
３１Ｄ    警報出力装置
３１Ｆ    グループＩＤ設定装置
【図１】
2008276599.tif 000003
【図２】
2008276599.tif 000004
【図３】
2008276599.tif 000005
【図４】
2008276599.tif 000006
【図５】
2008276599.tif 000007
【図６】
2008276599.tif 000008